(57)【要約】【課題】  複数のソースを選択する際のユーザの操作性を向上させること。【解決手段】  表示手段１１は、１または複数のソース装置による複数のソース種別をそれぞれ表示する。状態移行手段６２は、オーディオ装置１の動作状態をスタンバイ状態とパワーオン状態との間で移行させる。記憶手段６３は、パワーオン状態で選択されたソース種別を示すソース種別情報を記憶する。そして、ソース種別選択手段６２は、スタンバイ状態で、表示手段１１を制御して、複数のソース種別のうち、記憶手段６３に記憶されているソース種別情報が示すソース種別を表示させる。また、ソース種別選択手段６２は、複数のソース種別のうちの１つのソース種別を選択し、動作状態がスタンバイ状態からパワーオン状態へ移行したときには、記憶手段６３に記憶されているソース種別情報が示すソース種別を選択する。【選択図】  図２
2006318587.tif 000002
【特許請求の範囲】
【請求項１】
１または複数のソース装置による複数のソース種別をそれぞれ表示する表示手段と、
当該ソース選択装置または当該ソース選択装置を内蔵する装置の動作状態をスタンバイ状態とパワーオン状態との間で移行させる状態移行手段と、
パワーオン状態で選択されたソース種別を示すソース種別情報を記憶する記憶手段と、
スタンバイ状態で、上記表示手段を制御して、上記複数のソース種別のうち、上記記憶手段に記憶されているソース種別情報が示すソース種別を表示させるソース種別表示制御手段と、
上記複数のソース種別のうちの１つのソース種別を選択し、上記動作状態がスタンバイ状態からパワーオン状態へ移行したときには、上記記憶手段に記憶されているソース種別情報が示すソース種別を選択するソース種別選択手段と、
を備えることを特徴とするソース選択装置。
【請求項２】
１または複数のオーディオ信号出力装置による複数のソース種別をそれぞれ表示する表示手段と、
当該ソース選択装置または当該ソース選択装置を内蔵するオーディオ装置の動作状態をスタンバイ状態とパワーオン状態との間で移行させる状態移行手段と、
パワーオン状態で選択されたソース種別を示すソース種別情報を記憶する記憶手段と、
スタンバイ状態で、上記表示手段を制御して、上記複数のソース種別のうち、上記記憶手段に記憶されているソース種別情報が示すソース種別を、残りのオーディオ信号出力装置のソース種別とは区別して表示させるソース種別表示制御手段と、  
上記複数のソース種別のうちの１つのソース種別を選択し、上記動作状態がスタンバイ状態からパワーオン状態へ移行したときには、上記記憶手段に記憶されているソース種別情報が示すソース種別を選択するソース種別選択手段と、
を備えることを特徴とするソース選択装置。
【請求項３】
前記複数のオーディオ信号出力装置のうちの１または複数は、記録媒体を挿抜可能であってその記録媒体に格納されたオーディオデータを読み取りそのオーディオデータからオーディオ信号を再生し出力するメディア再生装置であり、
前記記憶手段は、上記メディア再生装置のソース種別を示すソース種別情報およびそのソース種別の１つ前に選択されていたソース種別を示すソース種別情報を記憶し、
前記ソース種別表示制御手段は、スタンバイ状態において、上記メディア再生装置のソース種別が表示されている場合に記録媒体のイジェクトを検出すると、前記記憶手段におけるソース種別情報を参照し、前記表示手段を制御して、そのメディア再生装置のソース種別の表示を止め、そのメディア再生装置のソース種別の１つ前に選択されていたソース種別を表示させること、
を特徴とする請求項２記載のソース選択装置。
【請求項４】
前記ソース種別選択手段は、スタンバイ状態において記録媒体のイジェクトを検出した前記メディア再生装置のソース種別情報が前記記憶手段に記憶されている場合、前記状態移行手段によるスタンバイ状態からパワーオン状態への移行のときに、前記記憶手段に記憶されているソース種別情報に基づき、そのメディア再生装置のソース種別の１つ前に選択されていたソース種別を選択することを特徴とする請求項３記載のソース選択装置。
【請求項５】
前記ソース種別表示制御手段は、パワーオン状態では、前記複数のオーディオ信号出力装置のソース種別についてオーディオ信号を出力可能か否かを特定し、前記表示手段を制御して、オーディオ信号を出力可能なソース種別のうち、前記ソース種別選択手段により選択されているソース種別を第１の態様で、残りのソース種別を上記第１の態様とは異なる第２の態様で表示させ、またオーディオ信号を出力可能ではないソース種別を表示させないこと、
を特徴とする請求項２記載のソース選択装置。
【請求項６】
回転自在で、かつ押下可能な操作部と、
上記操作部に対する押下操作を検出する第１の操作検出手段と、
上記操作部に対する回転操作を検出する第２の操作検出手段とを備え、
前記状態移行手段は、上記第１の操作検出手段により上記操作部に対する押下操作が検出されると、当該ソース選択装置または前記オーディオ装置の動作状態をスタンバイ状態とパワーオン状態との間で交互に移行させ、
前記表示手段は、上記操作部の周囲に周方向に沿って配され、点灯と消灯の状態を有し各ソース種別について点灯によりソース種別を表示し、
前記ソース種別選択手段は、パワーオン状態において、上記第２の操作検出手段により検出される回転操作に応じて、オーディオ信号を出力可能なソース種別のうちの１つを選択すること、
を特徴とする請求項２記載のソース選択装置。
【請求項７】
前記複数のオーディオ信号出力装置は、ＦＭラジオ放送および／またはＡＭラジオ放送の放送受信装置、並びにコンパクトディスクまたはミニディスク（登録商標）を記録媒体とするメディア再生装置を含むことを特徴とする請求項２記載のソース選択装置。
【請求項８】
前記ソース種別表示制御手段は、前記複数のオーディオ信号出力装置のうちの放送受信装置のオートシーク動作時には、前記表示手段を制御して、オートシークの対象となるソース種別を、パワーオン状態でのソース種別の表示態様およびスタンバイ状態でのソース種別の表示態様のいずれとも異なる態様で表示させることを特徴とする請求項２記載のソース選択装置。
【請求項９】
放送受信装置を含む１または複数のオーディオ信号出力装置による複数のソース種別をそれぞれ表示する表示手段と、
上記複数のソース種別のうちのいずれか１つのソース種別を選択するソース種別選択手段と、
上記ソース種別選択手段により選択されたソース種別を示すソース種別情報を記憶する記憶手段と、
特定目的の内容を有する放送の聴取の開始と終了のときに操作される特定目的操作部と、
上記特定目的操作部に対する聴取開始操作を検出すると、上記表示手段を制御して、聴取開始操作検出時に上記記憶手段に記憶されているソース種別情報が示すソース種別を聴取開始操作検出前とは別の態様で表示させ、その後、上記特定目的操作部に対する聴取終了操作が検出されると、上記表示手段を制御して、聴取開始操作検出時に上記記憶手段に記憶されているソース種別情報が示すソース種別を聴取開始操作検出前と同一態様で表示させるソース種別表示制御手段と、
を備えることを特徴とするソース選択装置。
【請求項１０】
当該ソース選択装置または当該ソース選択装置を内蔵する装置の動作状態をスタンバイ状態とパワーオン状態との間で移行させる状態移行手段を備え、
前記記憶手段は、パワーオン状態で選択されたソース種別を示すソース種別情報を記憶し、
前記ソース種別表示制御手段は、パワーオン状態において前記聴取開始操作が検出されると、聴取開始操作検出時に前記記憶手段に記憶されているソース種別情報が示すソース種別を聴取開始操作検出前とは別の態様で表示させ、その後、聴取終了操作が検出されると、聴取開始操作検出時に前記記憶手段に記憶されているソース種別情報が示すソース種別を聴取開始操作検出前と同一態様で表示させ、また、スタンバイ状態において前記聴取開始操作が検出されると、前記聴取終了操作が検出されるまで、すべてのソース種別の表示を停止すること、
を特徴とする請求項９記載のソース選択装置。
【請求項１１】
前記複数のオーディオ信号出力装置のうちの放送受信装置は、特定目的の内容を有する放送として、所定の変調方式かつ所定の周波数で伝播される交通情報放送を受信可能であることを特徴とする請求項９記載のソース選択装置。
【請求項１２】
放送受信装置により受信可能な同一変調方式の複数の放送局が複数のグループへプリセットされる場合において、上記放送受信装置についてプリセットされた複数のグループのそれぞれを１つのソース種別として、複数の上記ソース種別を配列して表示するソース種別表示部と、
上記ソース種別表示部に列挙されている複数のソース種別のうちの１つを選択するソース種別選択手段と、
を備えることを特徴とするソース選択装置。
【請求項１３】
前記ソース種別表示部は、ＦＭ放送およびＡＭ放送を受信する放送受信装置についての、所定の数のＦＭ局がプリセットされた第１ＦＭ局グループ、所定の数の別のＦＭ局がプリセットされた第２ＦＭ局グループ、および所定の数のＡＭ局がプリセットされたＡＭ局グループをそれぞれソース種別として配列し同時に表示することを特徴とする請求項１２記載のソース選択装置。
【請求項１４】
複数回の回転が連続して可能な操作部と、
上記操作部に対する回転操作を検出する回転操作検出手段と、
１または複数のソース装置による複数のソース種別を上記操作部の周囲に周方向に沿って配列して表示するソース種別表示部と、
上記ソース種別表示部により表示されているソース種別のうちの１つを上記回転操作検出手段により検出される回転操作に応じて選択し、上記回転操作検出手段により検出された回転操作量が、ソース種別の配列の最初または最後に位置するソース種別を選択するための回転操作量を超えた場合、その回転操作方向に応じてソース種別の配列の最初または最後に位置するソース種別を選択するソース種別選択手段と、
を備えることを特徴とするソース選択装置。
【請求項１５】
各ソース装置が各ソース種別のソース信号を出力可能であるか否かを判定する判定手段を備え、
前記ソース種別表示部は、上記判定手段による判定に基づいて、ソース信号を出力可能であるソース種別のみを前記操作部の周囲に周方向に沿って表示すること、
を特徴とする請求項１４記載のソース選択装置。
【請求項１６】
前記回転操作検出手段は、前記操作部に機械的に接続されたロータリエンコーダを有することを特徴とする請求項１４または請求項１５記載のソース選択装置。
【請求項１７】
１または複数のソース装置による複数のソース種別のうち、パワーオン状態で選択されているソース種別を示すソース種別情報をソース選択装置の所定の記憶手段に記憶するステップと、
上記ソース選択装置または上記ソース選択装置を内蔵する装置の動作状態をパワーオン状態からスタンバイ状態へ移行させるステップと、
スタンバイ状態で、上記複数のソース種別のうち、上記所定の記憶手段に記憶されているソース種別情報が示すソース種別を、所定の表示手段に表示させるステップと、
上記ソース選択装置または上記ソース選択装置を内蔵する装置の動作状態をスタンバイ状態からパワーオン状態へ移行させるステップと、
スタンバイ状態からパワーオン状態への動作状態の移行に応じて、上記複数のソース種別のうちの、上記所定の記憶手段に記憶されているソース種別情報が示すソース種別を選択するステップと、
を備えることを特徴とするソース選択方法。
【請求項１８】
放送受信装置を含む１または複数のオーディオ信号出力装置による複数のソース種別から選択されたソース種別を示すソース種別情報を所定の記憶手段に記憶するステップと、
特定目的の内容を有する放送の聴取の開始と終了のときに操作される特定目的操作部に対する聴取開始操作を検出するステップと、
上記特定目的操作部に対する聴取開始操作を検出すると、聴取開始操作検出時に上記所定の記憶手段に記憶されているソース種別情報が示すソース種別を聴取開始操作検出前とは別の態様で所定の表示手段に表示させるステップと、
上記特定目的操作部に対する聴取終了操作を検出するステップと、
上記特定目的操作部に対する聴取終了操作が検出されると、聴取開始操作検出時に上記記憶手段に記憶されているソース種別情報が示すソース種別を聴取開始操作検出前と同一態様で所定の表示手段に表示させるステップと、
を備えることを特徴とするソース選択方法。
【請求項１９】
放送受信装置により受信可能な同一変調方式の複数の放送局が複数のグループへプリセットされる場合において、上記放送受信装置についてプリセットされた複数のグループのそれぞれを１つのソース種別として、複数の上記ソース種別を配列して表示するステップと、
表示されている上記複数のソース種別のうちの１つを選択するステップと、
を備えることを特徴とするソース選択方法。
【請求項２０】
複数回の回転が連続して可能な操作部に対する回転操作を検出するステップと、
１または複数のソース装置による複数のソース種別を上記操作部の周囲に周方向に沿って配列して表示するステップと、
表示されている上記ソース種別のうちの１つを、検出した上記回転操作に応じて選択し、検出した上記回転操作量が、ソース種別の配列の最初または最後に位置するソース種別を選択するための回転操作量を超えた場合、その回転操作方向に応じてソース種別の配列の最初または最後に位置するソース種別を選択するステップと、
を備えることを特徴とするソース選択方法。
【発明の詳細な説明】
【技術分野】
【０００１】
本発明は、ソース選択装置およびソース選択方法に関する。
【背景技術】
【０００２】
従来から、オーディオ信号を出力するソース装置としては、ＦＭ方式、ＡＭ方式などのラジオ放送を受信するラジオ放送受信装置、カセットテープ、コンパクトディスク（ＣＤ）、ミニディスク（登録商標）（ＭＤ）などの記録媒体に記録された音声データを再生するメディア再生装置などがある。そして、これらのソース装置から得られるオーディオ信号のいずれかが選択され、選択されたオーディオ信号が、イコライザ、アンプなどを通してスピーカへ供給され、スピーカから音声が出力される。
【０００３】
このように、１または複数のソース装置により複数のソース種別（例えば、ＦＭ放送、ＡＭ放送、ＣＤ、ＭＤなど）が提供される場合、複数のソース種別から、１つのソース種別を選択するソース選択装置が独立にあるいは電子機器内に設置される。
【０００４】
このようなソース選択装置の場合、予め決められたソース装置がソース選択装置に接続され、その予め決められたソース装置によるソース種別が、筐体表面への印刷などにより示され、その近傍に、ソース種別を選択する際にユーザが操作する操作部が設置されることが多い。
【０００５】
したがって、従来から、ユーザの利便性を考慮して、音声出力中に現在選択されているソース種別を表示するもの（例えば特許文献１参照）、ＣＤプレーヤによるソース種別としてのＣＤが選択された場合にＣＤプレーヤが不動作状態であるとエラー表示を行うもの（例えば特許文献２参照）、ラジオ放送のうちのＦＭ放送とＡＭ放送を別々のソース種別として選択可能としたもの（例えば特許文献３参照）、路側帯放送を簡単な操作で選択可能としたもの（例えば特許文献３参照）、操作部に回転つまみを採用した場合、選択肢の最初および最後においてそれを超えて回転つまみが回転しないように操作部の形状を工夫したもの（例えば特許文献４参照）などが提案されている。
【特許文献１】特開２００２−２０９２８４号公報（明細書段落００３５，００４０、図２〜図５等）
【特許文献２】実用新案登録第２５７８５４５号（明細書）
【特許文献３】特開平３−２４８２２号公報（第１図、特許請求の範囲等）
【特許文献４】実開昭６３−０７７２３３号公報（図面）
【発明の開示】
【発明が解決しようとする課題】
【０００６】
しかしながら、上述の従来のソース選択装置には、ユーザの利便性に関し下記の問題がある。
【０００７】
上述の従来のソース選択装置では、音声出力中に現在選択されているソース種別をユーザが確認することはできるが、スタンバイ状態において、パワーオン移行時に最初に選択されるソース種別を確認することは困難である。
【０００８】
また、上述の従来のソース選択装置では、路側帯放送を聴取している最中において、路側帯放送の聴取終了後に復帰するソース種別をユーザが確認することが困難である。
【０００９】
また、近年、ラジオ放送局（特にＦＭ局）は各地で増加しており、ＦＭ放送、ＡＭ放送といった変調方式を単位としてソース種別を割り当てるだけでは、ユーザが簡単に選局することが困難である。複数のＦＭ放送局を複数グループにプリセットする機能があるが、その場合でも、まず、ソース種別としてのＦＭを選択した後、グループを選択し、さらにその後に、そのグループ内の放送局を選択する必要がある。
【００１０】
また、上述の従来のソース選択装置では、特殊な機械的構造を有する操作部を採用して、列挙されたソース種別の端部の選択肢を選択する際の操作性を向上させている。しかしながら、装置コストの観点から、最近では、端部での機械的な係止構造を有さないロータリエンコーダなどの、連続して回転可能な汎用の操作部を使用することが多い。そのような連続して回転可能な汎用の操作部を使用する場合、操作部が機械的に係止されないため、端部の選択肢を選択する際の操作が難しい。例えば操作部を見ずに操作している場合、回転させているうちに今どの選択肢を選択しているかが把握できなくなってしまう。
【００１１】
本発明は、上記の諸問題を鑑みてなされたものであり、ユーザの操作性を向上させるソース選択装置およびソース選択方法を得ることを目的とする。
【００１２】
すなわち、本発明は、パワーオン移行時に最初に選択されるソース種別をスタンバイ状態において確認可能としたり、また、路側帯放送等の聴取終了後に復帰するソース種別をユーザが確認可能としたり、また、多数の放送局から所望の局をユーザが簡単に選局可能としたり、また、連続して回転可能な汎用の操作部を使用する場合でも、端部の選択肢を選択する操作を簡単に行うことができるようにしたりするソース選択装置およびソース選択方法を得ることを目的とする。
【課題を解決するための手段】
【００１３】
上記の課題を解決するために、本発明では以下のようにした。
【００１４】
本発明に係るソース選択装置の１つは、１または複数のソース装置による複数のソース種別をそれぞれ表示する表示手段と、当該ソース選択装置または当該ソース選択装置を内蔵する装置の動作状態をスタンバイ状態とパワーオン状態との間で移行させる状態移行手段と、パワーオン状態で選択されたソース種別を示すソース種別情報を記憶する記憶手段と、スタンバイ状態で、表示手段を制御して、複数のソース種別のうち、記憶手段に記憶されているソース種別情報が示すソース種別を表示させるソース種別表示制御手段と、複数のソース種別のうちの１つのソース種別を選択し、動作状態がスタンバイ状態からパワーオン状態へ移行したときには、記憶手段に記憶されているソース種別情報が示すソース種別を選択するソース種別選択手段とを備える。
【００１５】
本発明に係るソース選択装置の１つは、１または複数のオーディオ信号出力装置による複数のソース種別をそれぞれ表示する表示手段と、当該ソース選択装置または当該ソース選択装置を内蔵するオーディオ装置の動作状態をスタンバイ状態とパワーオン状態との間で移行させる状態移行手段と、パワーオン状態で選択されたソース種別を示すソース種別情報を記憶する記憶手段と、スタンバイ状態で、表示手段を制御して、複数のソース種別のうち、記憶手段に記憶されているソース種別情報が示すソース種別を、残りのオーディオ信号出力装置のソース種別とは区別して表示させるソース種別表示制御手段と、複数のソース種別のうちの１つのソース種別を選択し、動作状態がスタンバイ状態からパワーオン状態へ移行したときには、記憶手段に記憶されているソース種別情報が示すソース種別を選択するソース種別選択手段とを備える。
【００１６】
また、本発明に係るソース選択装置は、上記ソース選択装置のいずれかに加え、次のようにしてもよい。つまり、その場合、複数のオーディオ信号出力装置のうちの１または複数は、記録媒体を挿抜可能であってその記録媒体に格納されたオーディオデータを読み取りそのオーディオデータからオーディオ信号を再生し出力するメディア再生装置である。そして、記憶手段は、メディア再生装置のソース種別を示すソース種別情報およびそのソース種別の１つ前に選択されていたソース種別を示すソース種別情報を記憶する。また、ソース種別表示制御手段は、スタンバイ状態において、メディア再生装置のソース種別が表示されている場合に記録媒体のイジェクトを検出すると、記憶手段におけるソース種別情報を参照し、表示手段を制御して、そのメディア再生装置のソース種別の表示を止め、そのメディア再生装置のソース種別の１つ前に選択されていたソース種別を表示させる。
【００１７】
また、本発明に係るソース選択装置は、上記ソース選択装置のいずれかに加え、次のようにしてもよい。つまり、その場合、ソース種別選択手段は、スタンバイ状態において記録媒体のイジェクトを検出したメディア再生装置のソース種別情報が記憶手段に記憶されている場合、状態移行手段によるスタンバイ状態からパワーオン状態への移行のときに、記憶手段に記憶されているソース種別情報に基づき、そのメディア再生装置のソース種別の１つ前に選択されていたソース種別を選択する。
【００１８】
また、本発明に係るソース選択装置は、上記ソース選択装置のいずれかに加え、次のようにしてもよい。つまり、その場合、ソース種別表示制御手段は、パワーオン状態では、複数のオーディオ信号出力装置のソース種別についてオーディオ信号を出力可能か否かを特定し、表示手段を制御して、オーディオ信号を出力可能なソース種別のうち、ソース種別選択手段により選択されているソース種別を第１の態様で、残りのソース種別を上記第１の態様とは異なる第２の態様で表示させ、またオーディオ信号を出力可能ではないソース種別を表示させない。
【００１９】
また、本発明に係るソース選択装置は、上記ソース選択装置のいずれかに加え、次のようにしてもよい。つまり、その場合、このソース選択装置は、回転自在で、かつ押下可能な操作部と、操作部に対する押下操作を検出する第１の操作検出手段と、操作部に対する回転操作を検出する第２の操作検出手段とを備える。そして、状態移行手段は、第１の操作検出手段により操作部に対する押下操作が検出されると、当該ソース選択装置またはオーディオ装置の動作状態をスタンバイ状態とパワーオン状態との間で交互に移行させる。また、表示手段は、操作部の周囲に周方向に沿って配され、点灯と消灯の状態を有し各ソース種別について点灯によりソース種別を表示する。そして、ソース種別選択手段は、パワーオン状態において、第２の操作検出手段により検出される回転操作に応じて、オーディオ信号を出力可能なソース種別のうちの１つを選択する。
【００２０】
また、本発明に係るソース選択装置は、上記ソース選択装置のいずれかに加え、次のようにしてもよい。つまり、その場合、複数のオーディオ信号出力装置は、ＦＭラジオ放送および／またはＡＭラジオ放送の放送受信装置、並びにコンパクトディスクまたはミニディスク（登録商標）を記録媒体とするメディア再生装置を含む。
【００２１】
また、本発明に係るソース選択装置は、上記ソース選択装置のいずれかに加え、次のようにしてもよい。つまり、ソース種別表示制御手段は、複数のオーディオ信号出力装置のうちの放送受信装置のオートシーク動作時には、表示手段を制御して、オートシークの対象となるソース種別を、パワーオン状態でのソース種別の表示態様およびスタンバイ状態でのソース種別の表示態様のいずれとも異なる態様で表示させる。
【００２２】
本発明に係るソース選択装置の１つは、放送受信装置を含む１または複数のオーディオ信号出力装置による複数のソース種別をそれぞれ表示する表示手段と、複数のソース種別のうちのいずれか１つのソース種別を選択するソース種別選択手段と、ソース種別選択手段により選択されたソース種別を示すソース種別情報を記憶する記憶手段と、特定目的の内容を有する放送の聴取の開始と終了のときに操作される特定目的操作部と、特定目的操作部に対する聴取開始操作を検出すると、表示手段を制御して、聴取開始操作検出時に記憶手段に記憶されているソース種別情報が示すソース種別を聴取開始操作検出前とは別の態様で表示させ、その後、特定目的操作部に対する聴取終了操作が検出されると、表示手段を制御して、聴取開始操作検出時に記憶手段に記憶されているソース種別情報が示すソース種別を聴取開始操作検出前と同一態様で表示させるソース種別表示制御手段とを備える。
【００２３】
また、本発明に係るソース選択装置は、上記ソース選択装置のいずれかに加え、次のようにしてもよい。つまり、その場合、このソース選択装置は、当該ソース選択装置または当該ソース選択装置を内蔵する装置の動作状態をスタンバイ状態とパワーオン状態との間で移行させる状態移行手段を備える。そして、記憶手段は、パワーオン状態で選択されたソース種別を示すソース種別情報を記憶し、ソース種別表示制御手段は、パワーオン状態において聴取開始操作が検出されると、聴取開始操作検出時に記憶手段に記憶されているソース種別情報が示すソース種別を聴取開始操作検出前とは別の態様で表示させ、その後、聴取終了操作が検出されると、聴取開始操作検出時に記憶手段に記憶されているソース種別情報が示すソース種別を聴取開始操作検出前と同一態様で表示させ、また、スタンバイ状態において聴取開始操作が検出されると、聴取終了操作が検出されるまで、すべてのソース種別の表示を停止する。
【００２４】
また、本発明に係るソース選択装置は、上記ソース選択装置のいずれかに加え、次のようにしてもよい。つまり、その場合、複数のオーディオ信号出力装置のうちの放送受信装置は、特定目的の内容を有する放送として、所定の変調方式かつ所定の周波数で伝播される交通情報放送を受信可能である。
【００２５】
本発明に係るソース選択装置の１つは、放送受信装置により受信可能な同一変調方式の複数の放送局が複数のグループへプリセットされる場合において、放送受信装置についてプリセットされた複数のグループのそれぞれを１つのソース種別として、複数のソース種別を配列して表示するソース種別表示部と、ソース種別表示部に列挙されている複数のソース種別のうちの１つを選択するソース種別選択手段とを備える。
【００２６】
また、本発明に係るソース選択装置は、上記ソース選択装置に加え、次のようにしてもよい。つまり、その場合、ソース種別表示部は、ＦＭ放送およびＡＭ放送を受信する放送受信装置についての、所定の数のＦＭ局がプリセットされた第１ＦＭ局グループ、所定の数の別のＦＭ局がプリセットされた第２ＦＭ局グループ、および所定の数のＡＭ局がプリセットされたＡＭ局グループをそれぞれソース種別として配列し同時に表示する。
【００２７】
本発明に係るソース選択装置の１つは、複数回の回転が連続して可能な操作部と、操作部に対する回転操作を検出する回転操作検出手段と、１または複数のソース装置による複数のソース種別を操作部の周囲に周方向に沿って配列して表示するソース種別表示部と、ソース種別表示部により表示されているソース種別のうちの１つを回転操作検出手段により検出される回転操作に応じて選択し、回転操作検出手段により検出された回転操作量が、ソース種別の配列の最初または最後に位置するソース種別を選択するための回転操作量を超えた場合、その回転操作方向に応じてソース種別の配列の最初または最後に位置するソース種別を選択するソース種別選択手段とを備える。
【００２８】
また、本発明に係るソース選択装置は、上記ソース選択装置に加え、次のようにしてもよい。つまり、その場合、このソース選択装置は、各ソース装置が各ソース種別のソース信号を出力可能であるか否かを判定する判定手段を備える。そして、ソース種別表示部は、判定手段による判定に基づいて、ソース信号を出力可能であるソース種別のみを操作部の周囲に周方向に沿って表示する。
【００２９】
また、本発明に係るソース選択装置は、上記ソース選択装置のいずれかに加え、次のようにしてもよい。つまり、その場合、回転操作検出手段は、操作部に機械的に接続されたロータリエンコーダを有する。
【００３０】
本発明に係るソース選択方法の１つは、１または複数のソース装置による複数のソース種別のうち、パワーオン状態で選択されているソース種別を示すソース種別情報をソース選択装置の所定の記憶手段に記憶するステップと、ソース選択装置またはソース選択装置を内蔵する装置の動作状態をパワーオン状態からスタンバイ状態へ移行させるステップと、スタンバイ状態で、複数のソース種別のうち、所定の記憶手段に記憶されているソース種別情報が示すソース種別を、所定の表示手段に表示させるステップと、ソース選択装置またはソース選択装置を内蔵する装置の動作状態をスタンバイ状態からパワーオン状態へ移行させるステップと、スタンバイ状態からパワーオン状態への動作状態の移行に応じて、複数のソース種別のうちの、所定の記憶手段に記憶されているソース種別情報が示すソース種別を選択するステップとを備える。
【００３１】
本発明に係るソース選択方法の１つは、放送受信装置を含む１または複数のオーディオ信号出力装置による複数のソース種別から選択されたソース種別を示すソース種別情報を所定の記憶手段に記憶するステップと、特定目的の内容を有する放送の聴取の開始と終了のときに操作される特定目的操作部に対する聴取開始操作を検出するステップと、特定目的操作部に対する聴取開始操作を検出すると、聴取開始操作検出時に所定の記憶手段に記憶されているソース種別情報が示すソース種別を聴取開始操作検出前とは別の態様で所定の表示手段に表示させるステップと、特定目的操作部に対する聴取終了操作を検出するステップと、特定目的操作部に対する聴取終了操作が検出されると、聴取開始操作検出時に記憶手段に記憶されているソース種別情報が示すソース種別を聴取開始操作検出前と同一態様で所定の表示手段に表示させるステップとを備える。
【００３２】
本発明に係るソース選択方法の１つは、放送受信装置により受信可能な同一変調方式の複数の放送局が複数のグループへプリセットされる場合において、放送受信装置についてプリセットされた複数のグループのそれぞれを１つのソース種別として、複数のソース種別を配列して表示するステップと、表示されている上記複数のソース種別のうちの１つを選択するステップとを備える。
【００３３】
本発明に係るソース選択方法の１つは、複数回の回転が連続して可能な操作部に対する回転操作を検出するステップと、１または複数のソース装置による複数のソース種別を操作部の周囲に周方向に沿って配列して表示するステップと、表示されているソース種別のうちの１つを、検出した回転操作に応じて選択し、検出した回転操作量が、ソース種別の配列の最初または最後に位置するソース種別を選択するための回転操作量を超えた場合、その回転操作方向に応じてソース種別の配列の最初または最後に位置するソース種別を選択するステップとを備える。
【発明の効果】
【００３４】
本発明によれば、ユーザの操作性を向上させるソース選択装置およびソース選択方法を得ることができる。
【００３５】
すなわち、本発明によれば、パワーオン移行時に最初に選択されるソース種別をスタンバイ状態において確認可能としたり、あるいは、路側帯放送等の聴取終了後に復帰するソース種別をユーザが確認可能としたり、あるいは、多数の放送局から所望の局をユーザが簡単に選局可能としたり、あるいは、連続して回転可能な汎用の操作部を使用する場合でも、端部の選択肢を選択する操作を簡単に行うことができるようにしたりすることができるソース選択装置およびソース選択方法を得ることができる。
【発明を実施するための最良の形態】
【００３６】
以下、図に基づいて本発明の実施の形態を説明する。
【００３７】
実施の形態１．
図１は、本発明の実施の形態１に係るソース選択装置を内蔵したオーディオ装置を示す正面図である。図２は、図１のオーディオ装置１の構成を示すブロック図である。
【００３８】
このオーディオ装置１は、車載用の装置であって、ソース選択装置、ラジオ放送受信装置、ＣＤおよびＭＤの２つのメディア再生装置を内蔵する。なお、この実施の形態１では、図２におけるユーザインタフェース（ＵＩ）部３１および制御部３３によりソース選択装置が構成される。
【００３９】
図１において、ソース選択ＵＩ部１１は、オーディオ装置１の状態に応じてソース種別を表示するソース種別表示部と、ソース種別を選択する際に操作される操作部とを有する。
【００４０】
メディア挿入口１２は、ＣＤ再生部５１にＣＤを挿入するために、オーディオ装置１の筐体正面に形成された開口部である。イジェクトボタン１３は、挿入されているＣＤをイジェクト（排出）させる際に操作される操作部である。イジェクトボタン１３は、図２のＣＤ操作部４２の一部である。なお、ＣＤ操作部４２は、ＣＤの再生、選曲、停止などを行わせる際に操作される操作部であり、ここでは、イジェクトボタン１３以外は図示を省略する。
【００４１】
メディア挿入口１４は、ＭＤ再生部５２にＭＤを挿入するために、オーディオ装置１の筐体正面に形成された開口部である。イジェクトボタン１５は、挿入されているＭＤをイジェクト（排出）させる際に操作される操作部である。イジェクトボタン１５は、図２のＭＤ操作部４３の一部である。なお、ＭＤ操作部４３は、ＭＤの再生、選曲、停止などを行わせる際に操作される操作部であり、ここでは、イジェクトボタン１５以外は図示を省略する。
【００４２】
イジェクトボタン１３，１５は、それぞれ、ボタン部材と、それに対する押下操作を電気的に検出するプッシュスイッチとを有する。
【００４３】
チューニング操作部１６は、ラジオ放送受信部５３での受信周波数を変更する際、および特定の放送局から交通情報を受信する際に操作される操作部である。実施の形態１では、チューニング操作部１６は、円筒形の操作部であって、回転操作を光学的または電気的に検出するロータリエンコーダ、および押下操作を電気的に検出するプッシュスイッチを有し、受信周波数の変更の際には回転され、交通情報の受信の開始および終了の際には押下される。
【００４４】
プリセット局選択操作部１７は、現在選択されているソース種別（ここでは「ＦＭ１」、「ＦＭ２」または「ＡＭ」）についてプリセットされた放送局を選局する際に操作される操作部である。実施の形態１では、プリセット局選択操作部１７は、６個のボタン部材と、それらに対する押下操作を電気的に検出する同数のプッシュスイッチとを有する。
【００４５】
音量調節操作部１８は、アンプ５６へ入力されるオーディオ信号の振幅を調整する際に操作される操作部である。実施の形態１では、音量調節操作部１８は、円筒形の回転操作部と、それに対する回転操作を検出するロータリエンコーダとを有する。
【００４６】
ディスプレイ装置１９は、液晶などの表示パネルを有し、オーディオ装置の各種状態を、文字、絵などにより適宜表示する装置である。
【００４７】
また、音響特性設定ボタン２０は、残響時間の調整の際に操作される操作部である。イコライザボタン２１は、アンプ５６の前段に設けられた図示せぬフィルタの使用／不使用およびその周波数特性を設定する際に操作される操作部である。表示色設定ボタン２２は、ディスプレイ装置１９の表示色を変更する際に操作される操作部である。実施の形態１では、ボタン２０〜２２は、それぞれ、ボタン部材と、それに対する押下操作を検出するプッシュスイッチを有する。
【００４８】
このように、オーディオ装置１の正面パネルには、上述した操作部および表示部からなるＵＩ部３１が配置される。
【００４９】
そして、このオーディオ装置１は、その内部に、いずれかのオーディオ信号出力装置からのオーディオ信号を出力するオーディオ音声再生部３２、および、このオーディオ装置１の内部を制御する制御部３３を有する。
【００５０】
まず、音声再生部３２は、オーディオ信号出力装置としてのＣＤ再生部５１、ＭＤ再生部５２およびラジオ放送受信部５３、並びにソースセレクタ５４、電子ボリューム５５およびアンプ５６を有する。
【００５１】
ＣＤ再生部５１は、記録媒体としてのＣＤからオーディオデータを読み出し、デジタルまたはアナログの音声信号として出力するメディア再生装置である。
【００５２】
ＭＤ再生部５２は、記録媒体としてのＭＤからオーディオデータを読み出し、デジタルまたはアナログの音声信号として出力するメディア再生装置である。
【００５３】
なお、ＣＤ再生部５１およびＭＤ再生部５２は、記録媒体を挿抜可能であってその記録媒体に格納されたオーディオデータを読み取りそのオーディオデータからオーディオ信号を再生し出力するメディア再生装置である。そして、ＣＤ再生部５１およびＭＤ再生部５２は、ソース種別としての「ＣＤ」および「ＭＤ」をそれぞれ提供するソース装置であり、オーディオ信号を出力するオーディオ信号出力装置である。
【００５４】
ラジオ放送受信部５３は、アンテナに接続され、アンテナの感受した電磁波や電波を復調し、デジタルまたはアナログの音声信号として出力する放送受信装置である。
【００５５】
なお、ラジオ放送受信部５３は、ソース種別としての「ＦＭ１」、「ＦＭ２」および「ＡＭ」を提供するソース装置であり、オーディオ信号を出力するオーディオ信号出力装置である。ここで、「ＦＭ１」とは、所定の数のＦＭラジオ放送局を含む１つのグループであり１つのソースを構成し、「ＦＭ２」とは、所定の数のＦＭラジオ放送局を含む別のグループであり１つのソースを構成する。ただし、ソース種別としての「ＦＭ１」または「ＦＭ２」が選択された場合に、チューニング操作部１６を操作することで、「ＦＭ１」または「ＦＭ２」に含まれる放送局以外の周波数に受信周波数を変更することは可能である。また、「ＡＭ」とは、所定の数のＡＭラジオ放送局を含む１つのグループであり１つのソースを構成する。ただし、ソース種別としての「ＡＭ」が選択された場合に、チューニング操作部１６を操作することで、「ＡＭ」に含まれる放送局以外の周波数に受信周波数を変更することは可能である。
【００５６】
ソースセレクタ５４は、制御信号を供給され、その制御信号に応じて、複数の入力のいずれかを選択し、その選択した入力の信号を出力する装置である。この実施の形態１では、ソースセレクタ５４は、ＭＰＵ６２からの制御信号に応じて、ＣＤ再生部５１、ＭＤ再生部５２およびラジオ放送受信部５３からのオーディオ信号のいずれかを選択し、選択したオーディオ信号を出力する。
【００５７】
また、電子ボリューム５５は、制御信号を供給され、その制御信号に応じてオーディオ信号の振幅を調節する回路である。アンプ５６は、オーディオ信号を増幅し、スピーカなどの出力する回路である。
【００５８】
他方、制御部３３は、ソース制御部６１、ＭＰＵ６２、および状態記憶部６３を有する。
【００５９】
ソース制御部６１は、ＣＤ再生部５１、ＭＤ再生部５２およびラジオ放送受信部５３に対して制御信号を供給してそれらを制御するとともに、ＣＤ再生部５１、ＭＤ再生部５２およびラジオ放送受信部５３からの制御信号を取得してそれらの各種状態を検出する回路である。
【００６０】
マイクロプロセシングユニット（ＭＰＵ）６２は、図示せぬＲＯＭ、フラッシュメモリなどの記憶媒体に格納されたプログラムを実行し、ＣＤ再生部５１、ＭＤ再生部５２およびラジオ放送受信部５３の状態、ＵＩ部３１に対するユーザの操作などに基づいて、ＵＩ部３１を制御し、また、直接的にあるいはソース制御部６１を介して間接的に音声再生部３２を制御するとともに、制御部３３内での情報処理を実行する演算処理装置である。
【００６１】
ＭＰＵ６２は、ソース選択装置を含むオーディオ装置１全体の動作状態をスタンバイ状態とパワーオン状態との間で切り替える状態移行手段として機能する。
【００６２】
スタンバイ状態とは、ＵＩ部３１および制御部３３（あるいは制御部３３のみ）には電源からの電力が供給され動作しているが、音声再生部３１におけるＣＤ再生部５１、ＭＤ再生部５２およびラジオ放送受信部５３のいずれからもオーディオ信号が出力されていない状態である。なお、この実施の形態１では、スタンバイ状態でも、ＣＤ再生部５１およびＭＤ再生部５２には電力供給がなされており、ＣＤ再生部５１およびＭＤ再生部５２からのＣＤおよびＭＤのイジェクトはそれぞれ可能である。また、この実施の形態１では、スタンバイ状態においては電子ボリューム５５およびアンプ５６への電源供給は停止される。
【００６３】
一方、パワーオン状態とは、ＵＩ部３１、音声再生部３２および制御部３３のすべてに電源からの電力が供給されており、ＣＤ再生部５１、ＭＤ再生部５２およびラジオ放送受信部５３の少なくとも１つがオーディオ信号を出力可能な状態あるいは出力している状態である。つまり、オーディオ信号が出力されていればパワーオン状態であり、放送局のシーク中、ユーザ操作による一時停止中などのようにオーディオ信号が一時的に出力されていなくても装置が動作している状態であればパワーオン状態である。
【００６４】
そして、実施の形態１におけるオーディオ装置１の場合、例えばイグニッションキーがアクセサリ（ＡＣＣ）ポジションとされると、スタンバイ状態となる。スタンバイ状態で、オーディオ装置１の所定の操作部（実施の形態１では後述のソース選択ＵＩ部１１の回転操作部１１ｆ）が操作されると、ＭＰＵ６２がその操作を電気的に検出し、ソース制御部６１を介してまたは直接的に音声再生部３２を制御してパワーオン状態に移行させる。また、パワーオン状態で、オーディオ装置１の所定の操作部（実施の形態１では後述のソース選択ＵＩ部１１の回転操作部１１ｆ）が操作されると、ＭＰＵ６２がその操作を電気的に検出し、ソース制御部６１を介してまたは直接的に音声再生部３２を制御してスタンバイ状態に移行させる。また、ＭＰＵ６２は、制御部３３の動作状態もスタンバイ状態とパワーオン状態との間で切り替え、その状態に応じて、ソース選択ＵＩ部１１でのソース種別の表示方式を変更する。
【００６５】
状態記憶部６３は、ＵＩ部３１、音声再生部３２および制御部３３の現在および／または過去の状態についての情報を記憶する回路または装置である。実施の形態１では、状態記憶部６３は、現在および／または過去に選択されたソース種別の履歴を示す一連のソース種別情報を格納する。状態記憶部６３は、スタンバイ状態では、過去に選択されたソース種別のソース種別情報を選択順に記憶し、パワーオン状態では、現在選択されているソース種別のソース種別情報を先頭に、２番目以降に、過去に選択されたソース種別のソース種別情報を選択順に記憶する。なお、状態記憶部６３としては、揮発性または不揮発性のメモリ、磁気記録媒体などが適宜使用される。
【００６６】
図３は、図１におけるソース選択ＵＩ部１１の詳細を示す正面図である。図４は、図１におけるソース選択ＵＩ部１１の詳細を示す斜視図である。
【００６７】
図３および図４に示すように、ソース選択ＵＩ部１１では、円環状のソース種別表示部に、各ソース種別の状態（選択中、選択可能、および選択不可）を表示する表示窓１１ａ〜１１ｅが配置され、円環状のソース種別表示部の内側に円筒形の回転操作部１１ｆが押下可能にかつ回転自在に配置される。円環状のソース種別表示部のうち、表示窓１１ａ〜１１ｅのみが透明とされ、その他の部分は有色で裏面から表面への光の透過を遮断する。各表示窓１１ｘ（ｘ＝ａ，ｂ，ｃ，ｄ，ｅ）は、ソース種別を示す文字列の形状を有し、ソース種別「ＣＤ」，「ＭＤ」，「ＦＭ１」，「ＦＭ２」，「ＡＭ」にそれぞれ対応する。
【００６８】
そして、各表示窓１１ｘ（ｘ＝ａ，ｂ，ｃ，ｄ，ｅ）の裏面側には発光ダイオード（ＬＥＤ）などの発光素子が配置され、回転操作部１１ｆには、ロータリエンコーダとプッシュスイッチが機械的に接続される。
【００６９】
図５は、図１におけるソース選択ＵＩ部１１およびその駆動回路の電気的構成の詳細を示す回路図である。なお、図５に示す回路は、一例であり、同様に動作するその他の回路でもよい。
【００７０】
図５において、発光ダイオードＬＥＤｒ１，ＬＥＤｇ１は、表示窓１１ａへ光を入射させる赤色および緑色の発光素子である。発光ダイオードＬＥＤｒ２，ＬＥＤｇ２は、表示窓１１ｂへ光を入射させる赤色および緑色の発光素子である。発光ダイオードＬＥＤｒ３，ＬＥＤｇ３は、表示窓１１ｃへ光を入射させる赤色および緑色の発光素子である。発光ダイオードＬＥＤｒ４，ＬＥＤｇ４は、表示窓１１ｄへ光を入射させる赤色および緑色の発光素子である。発光ダイオードＬＥＤｒ５，ＬＥＤｇ５は、表示窓１１ｅへ光を入射させる赤色および緑色の発光素子である。
【００７１】
また、トランジスタＱｒ１，Ｑｇ１は、発光ダイオードＬＥＤｒ１，ＬＥＤｇ１をそれぞれ点灯または消灯させるスイッチング素子である。トランジスタＱｒ２，Ｑｇ２は、発光ダイオードＬＥＤｒ２，ＬＥＤｇ２をそれぞれ点灯または消灯させるスイッチング素子である。トランジスタＱｒ３，Ｑｇ３は、発光ダイオードＬＥＤｒ３，ＬＥＤｇ３をそれぞれ点灯または消灯させるスイッチング素子である。トランジスタＱｒ４，Ｑｇ４は、発光ダイオードＬＥＤｒ４，ＬＥＤｇ４をそれぞれ点灯または消灯させるスイッチング素子である。トランジスタＱｒ５，Ｑｇ５は、発光ダイオードＬＥＤｒ５，ＬＥＤｇ５をそれぞれ点灯または消灯させるスイッチング素子である。
【００７２】
このトランジスタＱｒ１〜Ｑｒ５，Ｑｇ１〜Ｑｇ５のベースは、ＭＰＵ６２に接続され、ＭＰＵ６２からの制御信号のレベルに応じてオン／オフする。図５の回路では、トランジスタＱｒ１〜Ｑｒ５，Ｑｇ１〜Ｑｇ５は、Ｎ型（ＮＰＮ型）トランジスタとされ、そのエミッタが接地され、そのコレクタが、対応する発光ダイオード（ＬＥＤｒ１〜ＬＥＤｒ５，ＬＥＤｇ１〜ＬＥＤｇ５）のカソードに接続される。また、発光ダイオードＬＥＤｒ１〜ＬＥＤｒ５，ＬＥＤｇ１〜ＬＥＤｇ５のアノードは、抵抗Ｒ１を介して電源ラインＶｃｃに接続される。
【００７３】
他方、回転操作部１１ｆには、ロータリエンコーダＥＮＣとプッシュスイッチＳＷが機械的に接続されている。回転操作部１１ｆは、時計回り方向および反時計回り方向のいずれにも回転可能とされ、所定の回転角度で機械的に係止されることはない。ロータリエンコーダＥＮＣは、回転操作部１１ｆの回転角度に比例した数のパルスを含むパルス信号を出力する素子であり、プッシュスイッチＳＷは、回転操作部１１ｆに対する押下操作に応じてオン／オフする素子である。ロータリエンコーダＥＮＣの出力ラインは、ＭＰＵ６２に接続される。また、プッシュスイッチＳＷの一端は接地され、他端は、抵抗Ｒ２を介して電源電圧にプルアップされるとともに、ＭＰＵ６２に接続される。なお、プッシュスイッチＳＷとＭＰＵ６２との間には、押下操作を正確に検出するために波形整形回路などを設けるようにしてもよい。
【００７４】
次に、上記装置の動作について説明する。
【００７５】
図６は、実施の形態１に係るソース選択装置を内蔵したオーディオ装置１の動作を説明するフローチャートである。図７は、実施の形態１におけるＭＰＵ６２による発光ダイオードＬＥＤｒｉ，ＬＥＤｇｉ（ｉ＝１，・・・，５）の制御パターンを示す図である。図７（Ａ）はスタンバイ状態での、図７（Ｂ）はパワーオン状態での制御パターンをそれぞれ示す。
【００７６】
まず、オーディオ装置１に例えば車載バッテリといった電源が電気的に接続されたとき、ＭＰＵ６２は、起動して所定のプログラムの実行を開始し、オーディオ装置１の動作状態をスタンバイ状態とする（ステップＳ１）。
【００７７】
次に、ＭＰＵ６２は、状態記憶部６３に記憶されているソース種別情報を読み出し、そのソース種別情報が示すソース種別を、パワーオン状態への移行時に自動的に選択されるソース種別として、ソース選択ＵＩ部１１に表示させる（ステップＳ２）。このとき、ＭＰＵ６２は、図７（Ａ）に示すように、そのソース種別に対応する緑色の発光ダイオードＬＥＤｇｊを点灯させ、その他のソース種別に対応する緑色の発光ダイオードＬＥＤｇｋ（ｋ≠ｊ）およびすべての赤色の発光ダイオードＬＥＤｒ１〜ＬＥＤｒ５を消灯させる。
【００７８】
なお、状態記憶部６３にソース種別情報が記憶されていない場合には、ＭＰＵ６２は、所定のソース種別（例えば「ＡＭ」）を、パワーオン状態への移行時に自動的に選択されるソース種別として選択し、そのソース種別情報を状態記憶部６３に記憶させるとともにソース選択ＵＩ部１１に表示させるようにすればよい。
【００７９】
その後、ＭＰＵ６２は、スタンバイ状態において、パワーオン操作が検出されたか否か（ステップＳ３）、およびソース選択ＵＩ部１１で表示中のソース種別について記録媒体のイジェクトが発生したか否か（ステップＳ４）を監視する。
【００８０】
ＭＰＵ６２は、パワーオン操作が発生したか否かを、ソース選択ＵＩ部１１のプッシュスイッチＳＷからの出力ラインの電圧に基づいて判定する。また、ＭＰＵ６２は、表示中のソース種別について記録媒体のイジェクトが発生したか否かを、ソース制御部６１により検出されたＣＤ再生部５１またはＭＤ再生部５２からの制御信号に基づいて判定する。
【００８１】
そして、ＭＰＵ６２は、表示中のソース種別について記録媒体のイジェクトが発生した場合、パワーオン状態への移行時に自動的に選択されるソース種別の表示を切り替える（ステップＳ５）。その際、ＭＰＵ６２は、状態記憶部６３において表示切替前のソース種別のソース種別情報の次に記憶されているソース種別情報を読み出し、そのソース種別を表示切替後のソース種別とする。また、ＭＰＵ６２は、表示切替前のソース種別のソース種別情報を状態記憶部６３から削除し、表示切替後のソース種別のソース種別情報を先頭とする（ステップＳ６）。
【００８２】
例えば、状態記憶部６３に、２つのソース種別情報が「ＣＤ」、「ＦＭ１」の順番で新しい順に記憶されており、ステップＳ２においてソース種別「ＣＤ」が表示されている場合に、ＣＤ再生部５１からＣＤがイジェクトされると、ＭＰＵ６２は、ソース種別「ＣＤ」の発光ダイオードＬＥＤｇ１を消灯させ、ソース種別「ＦＭ１」の発光ダイオードＬＥＤｇ３を点灯させる。その後、継続的にステップＳ２において発光ダイオードＬＥＤｇ３が点灯する。
【００８３】
また、例えば、状態記憶部６３に、３つのソース種別情報が「ＣＤ」、「ＭＤ」、「ＦＭ１」の順番で新しい順に記憶されており、ステップＳ２においてソース種別「ＣＤ」が表示されている場合に、ＣＤ再生部５１からＣＤがイジェクトされると、ＭＰＵ６２は、ソース種別「ＣＤ」の発光ダイオードＬＥＤｇ１を消灯させ、ソース種別「ＭＤ」の発光ダイオードＬＥＤｇ２を点灯させる。その後、ＭＤ再生部５２からＭＤがイジェクトされると、ＭＰＵ６２は、ソース種別「ＭＤ」の発光ダイオードＬＥＤｇ２を消灯させ、ソース種別「ＦＭ１」の発光ダイオードＬＥＤｇ３を点灯させる。ただし、スタンバイ状態で、状態記憶部６３に、３つのソース種別情報が「ＣＤ」、「ＭＤ」、「ＦＭ１」の順番で新しい順に記憶されており、ステップＳ２においてソース種別「ＣＤ」が表示されている場合に、表示されていないソース種別「ＭＤ」の記録媒体（ＭＤ）がイジェクトされると、ＭＰＵ６２は、状態記憶部６３に記憶されている「ＭＤ」のソース種別情報を削除する。この場合、ＭＰＵ６２は、ソース種別「ＣＤ」の発光ダイオードＬＥＤｇ１を継続して点灯させる。
【００８４】
なお、ＭＰＵ６２は、図７（Ａ）に示すように、記録媒体のイジェクト操作を検出すると、イジェクト動作が完了するまで、その記録媒体に対応するソース種別の発光ダイオードＬＥＤｇｉ（ｉ＝１，・・・，５）を点滅させる。
【００８５】
このように、スタンバイ状態においては、パワーオン状態への移行時に自動的に選択されるソース種別が、状態記憶部６３に記憶されたソース種別情報に基づいて表示される。
【００８６】
スタンバイ状態において、ＭＰＵ６２は、ソース選択ＵＩ部１１におけるプッシュスイッチ１１ｆの出力ラインの電圧に基づいて、ソース選択ＵＩ部１１の回転操作部１１ｆに対する押下操作、つまりパワーオン操作が発生したと判定すると、オーディオ装置１の動作状態をパワーオン状態へ移行させる（ステップＳ７）。これにより、音声再生部３２のすべての構成要素に対して電力が供給される。
【００８７】
また、ＭＰＵ６２は、パワーオン状態への移行時に、ソース選択ＵＩ部１１での表示方式を、スタンバイ状態の表示方式から変化させる。パワーオン状態では、ＭＰＵ６２は、選択中のソース種別を第１の態様で表示させ、選択可能なソース種別を第２の態様で表示させる。この実施の形態１では、ＭＰＵ６２は、図７（Ｂ）に示すように、パワーオン状態では、選択中のソース種別の赤色の発光ダイオードＬＥＤｒｊ（ｊ＝１，・・・，５）を点灯させ、選択可能なソース種別の緑色の発光ダイオードＬＥＤｇｋ（ｋ≠ｊ）を点灯させ、その他の発光ダイオードＬＥＤｒｐ（ｐ≠ｊ），ＬＥＤｇｑ（ｑ≠ｋ）を消灯させる。その際、ＭＰＵ６２は、ソース制御部６１を介して、ＣＤ再生部５１にＣＤが挿入されており再生可能であるか否か、およびＭＤ再生部５２にＭＤが挿入されており再生可能であるか否かを特定し、ソース種別「ＣＤ」，「ＭＤ」が選択可能なソース種別であるか否かを判断する。すなわち、ＣＤ再生部５１にＣＤが挿入されていれば、ソース種別「ＣＤ」はオーディオ信号を出力可能であるため選択可能と判断され、そうでなければ、ソース種別「ＣＤ」は選択不可と判断される。
【００８８】
そして、ＭＰＵ６２は、状態記憶部６３に記憶されている先頭のソース種別情報を読み出し、そのソース種別情報が示すソース種別に対応するオーディオ信号出力装置からの入力をソースセレクタ５４に選択させる（ステップＳ８）。このときに選択されるソース種別は、ステップＳ２において表示されていたソース種別と同一である。
【００８９】
また、ＭＰＵ６２は、そのオーディオ信号出力装置の種別（および必要に応じてソース種別）の情報をソース制御部６１へ供給し、ソース制御部６１は、そのオーディオ信号出力装置に制御信号を供給し、そのソース種別のオーディオ信号を出力させる（ステップＳ９）。
【００９０】
これにより、ソースセレクタ５４から、いずれかのオーディオ信号出力装置（ＣＤ再生部５１、ＭＤ再生部５２およびラジオ放送受信部５３のいずれか）により出力されたオーディオ信号が、電子ボリューム５５に供給される。電子ボリューム５５は、このオーディオ信号の振幅を、ＭＰＵ６２からの制御信号に応じて調節する。なお、ＭＰＵ６２は、音声調整操作部１８から検出された操作量に応じた制御信号を電子ボリューム５５に供給する。そして、電子ボリューム５５から出力されたオーディオ信号はアンプ５６により増幅され、増幅後のオーディオ信号がスピーカ等へ出力される。なお、アンプ５６の前段に設けられた図示せぬフィルタおよびエフェクタにより、音響特性設定ボタン２０およびイコライザボタン２１への操作に応じたＭＰＵ６２からの制御信号に基づく残響時間特性および周波数特性が実現される。
【００９１】
このように、パワーオン操作が検出されると、ＭＰＵ６２は、音声再生部３２に対して、スタンバイ状態でソース選択ＵＩ部１１で表示していたソース種別のオーディオ信号の出力を自動的に開始させる。
【００９２】
パワーオン状態において、ＭＰＵ６２は、ソース種別切替操作が発生したか否か（ステップＳ１０）、記録媒体のイジェクトが発生したか否か（ステップＳ１１）、およびパワーオフ操作（スタンバイ状態への移行のための操作）が発生したか否か（ステップＳ１２）を監視する。
【００９３】
ＭＰＵ６２は、ソース種別切替操作が発生したか否かを、ソース選択ＵＩ部１１のロータリエンコーダＥＮＣからの信号に基づいて判定する。ＭＰＵ６２は、その信号に基づいて、ソース選択ＵＩ部１１の回転操作部１１ｆに対する回転操作の操作方向および操作量を特定し、その操作方向および操作量に応じて、現在選択中のソース種別とは別のソース種別を選択する操作が発生したと判定する。ＭＰＵ６２は、ソース種別切替操作の操作方向および操作量に応じて現在選択中のソース種別とは別のソース種別を特定する。その際、ＭＰＵ６２は、その時点で選択可能なソース種別のみから、別のソース種別を特定する。
【００９４】
ソース種別切替操作が発生すると、ＭＰＵ６２は、まず、切替後のソース種別のソース種別情報を状態記憶部６３に記憶させる（ステップＳ１３）。その際、このソース種別情報は、状態記憶部６３において先頭に挿入されて記憶される。つまり、状態記憶部６３におけるその他の既存のソース種別情報は上書きされたり削除されたりしない。
【００９５】
次に、ＭＰＵ６２は、切替後に選択されたソース種別を、他の選択可能なソース種別とは別の態様でソース選択ＵＩ部１１に表示させるとともに、そのソース種別に対応するオーディオ信号出力装置の入力をソースセレクタ５４に選択させる（ステップＳ１４）。この実施の形態１では、切替後に選択されたソース種別の表示は、緑色から赤色へ変化し、切替前に選択されていたソース種別の表示は、赤色から緑色へ変化する。
【００９６】
そして、ＭＰＵ６２は、切替後のソース種別に対応するオーディオ信号出力装置（および必要に応じてそのソース種別）の情報をソース制御部６１に供給する。ソース制御部６１は、その情報に基づいて、切替前のソース種別のオーディオ信号の出力を停止させ、切替後のソース種別のオーディオ信号の出力を開始させる（ステップＳ１５）。
【００９７】
その後、ＭＰＵ６２は、ステップＳ１０〜Ｓ１２の監視状態に戻る。
【００９８】
一方、ＭＰＵ６２は、記録媒体のイジェクトが発生したか否かを、ソース制御部６１により検出されたＣＤ再生部５１またはＭＤ再生部５２からの制御信号に基づいて判定する（ステップＳ１１）。
【００９９】
そして、ＭＰＵ６２は、記録媒体のイジェクトが発生した場合、イジェクトが発生したソース種別のソース種別情報を状態記憶部６３から削除する（ステップＳ１６）。また、ＭＰＵ６２は、イジェクトが発生したソース種別が再生中であったか否かを判定する（ステップＳ１７）。なお、イジェクトが発生した場合、そのソース種別の表示は、イジェクト完了までの期間、緑色点滅に変更される。
【０１００】
イジェクトが発生したソース種別が再生中であった場合には、ＭＰＵ６２は、状態記憶部６３から先頭のソース種別情報を読み出す（ステップＳ１８）。なお、ステップＳ１６において、イジェクトが発生したソース種別のソース種別情報は削除されているため、ステップＳ１８で読み出されるソース種別情報は、イジェクトが発生したソース種別の１つ前に選択されていたソース種別を示すものとなる。
【０１０１】
そして、ＭＰＵ６２は、そのソース種別情報の示すソース種別をソース選択ＵＩ部１１に表示させるとともに、そのソース種別に対応するオーディオ信号出力装置の入力をソースセレクタ５４に選択させる（ステップＳ１４）。この実施の形態１では、新たに選択されたソース種別の表示は、緑色から赤色へ変化し、イジェクトの発生したソース種別については、赤色の表示から表示なし（消灯）へ変化する。
【０１０２】
そして、ＭＰＵ６２は、そのソース種別に対応するオーディオ信号出力装置（および必要に応じてそのソース種別）の情報をソース制御部６１に供給する。ソース制御部６１は、その情報に基づいて、イジェクトの発生したソース種別のオーディオ信号の出力を停止させ、新たに選択されたソース種別のオーディオ信号の出力を開始させる（ステップＳ１５）。
【０１０３】
その後、ＭＰＵ６２は、ステップＳ１０〜Ｓ１２の監視状態に戻る。
【０１０４】
また、記録媒体のイジェクトが発生したときに、イジェクトが発生したソース種別が再生中ではなかった場合、ＭＰＵ６２は、イジェクト前には選択可能であったそのソース種別が選択不可になったため、そのソース種別についてのソース選択ＵＩ部１１の表示を停止させる（ステップＳ１９）。この実施の形態１では、再生中ではなかったソース種別についてイジェクトの発生した場合、そのソース種別については、緑色の表示から表示なし（消灯）へ変化する。
【０１０５】
その後、ＭＰＵ６２は、ステップＳ１０〜Ｓ１２の監視状態に戻る。
【０１０６】
他方、ＭＰＵ６２は、パワーオフ操作が発生したか否かを、ソース選択ＵＩ部１１のプッシュスイッチＳＷからの出力ラインの電圧に基づいて判定する（ステップＳ１２）。つまり、パワーオン状態において、ソース選択ＵＩ部１１の回転操作部１１ｆに対して押下操作が発生すると、パワーオフ操作と判断される。
【０１０７】
パワーオン状態において、ＭＰＵ６２は、ソース選択ＵＩ部１１におけるプッシュスイッチ１１ｆの出力ラインの電圧に基づいて、ソース選択ＵＩ部１１の回転操作部１１ｆに対する押下操作、つまりパワーオフ操作が発生したと判定すると、オーディオ装置１の動作状態をスタンバイ状態へ移行させる（ステップＳ１）。これにより、ＭＰＵ６２の制御により、オーディオ信号の出力は停止され、ソース選択ＵＩ部１１におけるソース種別の表示も、上述したスタンバイ状態の表示方式に変更される。
【０１０８】
また、パワーオフ時（パワーオン状態からスタンバイ状態への移行時）には、状態記憶部６３において、先頭のソース種別情報が、パワーオフ時の直前まで選択されていたソース種別のものとなっているため、スタンバイ状態では、そのソース種別のみがソース選択ＵＩ部１１に表示され、次回のパワーオン状態への移行時には、原則としてそのソース種別が自動的に選択される。ただし、パワーオフ時の直前まで選択されていたソース種別がメディア再生装置によるソース種別であり、スタンバイ状態においてそのメディア再生装置から記録媒体が抜出された場合には、そのソース種別の１つ前に選択されていたソース種別が選択される。さらに、１つ前に選択されていたソース種別がメディア再生装置によるもので、かつそのメディア再生装置からも記録媒体が抜出された場合には、さらに１つ前に選択されていたソース種別が選択される。
【０１０９】
このように、メディア再生装置によるソース種別は、スタンバイ状態において選択不可になる可能性があるので、状態記憶部６３には、メディア再生装置によるソース種別以外のソース種別のソース種別情報が少なくとも１つ記憶されていることが好ましい。
【０１１０】
以上で説明したように、オーディオ装置１は、スタンバイ状態およびパワーオン状態のいずれかの動作状態にあり、動作状態に応じて、ソース選択ＵＩ部１１でのソース種別の表示方式を変化させるとともに、メディア再生装置によるソース種別が選択可能か否かに応じて動的にソース種別の表示を変化させる。
【０１１１】
ここで、ソース種別切替操作および記録媒体のイジェクトに応じたソース選択ＵＩ部１１でのソース種別の表示変化の一例を説明する。図８は、実施の形態１におけるソース種別切替操作および記録媒体のイジェクトに応じたソース選択ＵＩ部１１でのソース種別の表示変化の一例を説明する図である。
【０１１２】
図８における状態１は、パワーオン状態であって、パワーオン操作が検出され、直前のソース種別が選択された状態である。状態１では、ソース種別「ＦＭ１」が選択されているため、ソース種別「ＦＭ１」が表示され、ＬＥＤｒ３が赤色に点灯している。また、状態１では、ＣＤが挿入された状態にあるため、ソース種別「ＣＤ」，「ＦＭ２」，「ＡＭ」が選択可能と判断されて表示され、ＬＥＤｇ１，４，５が緑色に点灯している。このとき、ＭＤが挿入されていない状態にあるため、ソース種別「ＭＤ」は消灯している。
【０１１３】
なお、図面中では、説明の便宜上、赤色に点灯しているものを太字の書体で、緑色に点灯しているものを白抜きの書体で、消灯しているものを白抜きかつ破線の輪郭線の書体で表している。図８以外の図面においても同様に表現する。
【０１１４】
状態１において、回転操作部１１ｆに対して、反時計回り方向に、所定の回転角度分の操作量が検出されると、「ＦＭ１」から反時計回り方向に隣接する選択可能なソース種別「ＣＤ」が選択される。この場合、反時計回り方向への回転操作が検出されても、消灯中のソース種別「ＭＤ」は選択不可であるため、選択されることはない。
【０１１５】
なお、この場合において、仮に、時計回り方向に所定の回転角度分の操作量が検出されたとすると、ソース種別「ＦＭ２」が選択され、さらに継続して同一方向に所定の回転角度分の操作量が検出されると、「ＦＭ２」の選択が解除されソース種別「ＡＭ」が選択される。
【０１１６】
このように、ＭＰＵ６２は、ソース選択ＵＩ部１１により表示されているソース種別のうちの１つをロータリエンコーダＥＮＣにより検出される回転操作に応じて選択する。その際、ロータリエンコーダＥＮＣにより検出された回転操作量が、ソース種別の配列の最初または最後に位置するソース種別を選択するための回転操作量を超えた場合、ＭＰＵ６２は、回転操作方向に応じて、ソース種別の配列の最初または最後に位置するソース種別を選択する。つまり、この実施の形態１では、図８の状態１においては、反時計回りに回転操作部１１ｆを一定角度以上回転させると、ソース種別の表示配列の一方の端部にあるソース種別「ＣＤ」が常に選択される。また、時計回りに回転操作部１１ｆを一定角度以上回転させると、他方の端部にあるソース種別「ＡＭ」が常に選択される。なお、仮に、状態１において「ＣＤ」が表示されておらず、「ＦＭ１」、「ＦＭ２」および「ＡＭ」が表示されている場合、現在選択中の「ＦＭ１」が端部になるため、反時計回りに回転操作部１１ｆを何度回転させても、「ＦＭ１」が継続して選択される。
【０１１７】
そして、状態１において上述のＣＤ選択操作が発生すると、ソース選択ＵＩ部１１および状態記憶部６３は状態２へ移行する。
【０１１８】
状態２では、状態記憶部６３における先頭のソース種別情報は「ＣＤ」となり、その次のソース種別情報が、状態１で選択されていた「ＦＭ１」のものとなる。また、状態２では、ソース種別「ＣＤ」が選択されているため、ソース種別「ＣＤ」が表示され、ＬＥＤｒ１が赤色に点灯している。また、状態２では、ソース種別「ＦＭ１」，「ＦＭ２」，「ＡＭ」が選択可能と判断され、ＬＥＤｇ３，４，５が緑色に点灯している。このとき、ＭＤが挿入されていない状態にあるため、ソース種別「ＭＤ」は消灯している。
【０１１９】
状態２において、ＣＤがイジェクトされると、ソース選択ＵＩ部１１および状態記憶部６３は状態３へ移行する。
【０１２０】
状態３では、ＣＤイジェクトによりソース種別「ＣＤ」は選択不可となり、「ＣＤ」のソース種別情報は状態記憶部６３から削除され、状態記憶部６３における先頭のソース種別情報は「ＦＭ１」となる。そして、そのソース種別「ＦＭ１」が選択される。したがって、状態３では、ソース種別「ＦＭ１」が選択されているため、ソース種別「ＦＭ１」が表示され、ＬＥＤｒ３が赤色に点灯している。また、状態３では、ソース種別「ＦＭ２」，「ＡＭ」が選択可能と判断され、ＬＥＤｇ４，５が緑色に点灯しているが、このとき、ＭＤおよびＣＤはいずれも挿入されていない状態にあるため、ソース種別「ＣＤ」，「ＭＤ」は消灯している。
【０１２１】
他方、状態２においてパワーオフ操作が発生すると、ソース選択ＵＩ部１１および状態記憶部６３は状態４へ移行する。状態４はスタンバイ状態であるため、状態記憶部６３の先頭のソース種別情報に対応するソース種別「ＣＤ」が緑色に表示され、その他のソース種別は表示されない。
【０１２２】
そして、状態４において、パワーオン操作が検出されると、ソース選択ＵＩ部１１および状態記憶部６３は状態５へ移行する。状態５は、パワーオン状態であって、状態記憶部６３における先頭のソース種別情報に対応する「ＣＤ」、つまり、スタンバイ状態で緑色に表示されていた「ＣＤ」が自動的に選択される。状態５では、そのソース種別「ＣＤ」が赤色に表示され、選択可能な「ＦＭ１」，「ＦＭ２」，「ＡＭ」が緑色に表示される。このとき、ＭＤが挿入されていないため、「ＭＤ」は表示されない。
【０１２３】
他方、状態４において、ＣＤのイジェクトが検出されると、ソース選択ＵＩ部１１および状態記憶部６３は状態６へ移行する。ＣＤイジェクトにより、状態記憶部６３における「ＣＤ」のソース種別情報は削除され、「ＦＭ１」のソース種別情報が先頭となる。状態６はスタンバイ状態であるため、状態記憶部６３の先頭のソース種別情報に対応するソース種別「ＦＭ１」が緑色に表示され、その他のソース種別は表示されない。
【０１２４】
以上のように、上記実施の形態１によれば、表示手段としてのソース選択ＵＩ部１１は、１または複数のソース装置による複数のソース種別をそれぞれ表示する。また、状態移行手段としてのＭＰＵ６２は、オーディオ装置１の動作状態をスタンバイ状態とパワーオン状態との間で移行させる。また、記憶手段としての状態記憶部６３は、パワーオン状態で選択されたソース種別を示すソース種別情報を記憶する。そして、ソース種別選択手段としてのＭＰＵ６２は、スタンバイ状態で、ソース選択ＵＩ部１１を制御して、複数のソース種別のうち、状態記憶部６３に記憶されているソース種別情報が示すソース種別を表示させる。また、ソース種別選択手段としてのＭＰＵ６２は、複数のソース種別のうちの１つのソース種別を選択し、動作状態がスタンバイ状態からパワーオン状態へ移行したときには、状態記憶部６３に記憶されているソース種別情報が示すソース種別を選択する。特に、ＭＰＵ６２は、スタンバイ状態で、複数のソース種別のうち、状態記憶部６３に記憶されているソース種別情報が示すソース種別を、残りのオーディオ信号出力装置のソース種別とは区別して表示させる。
【０１２５】
これにより、パワーオン移行時に最初に選択されるソース種別を、スタンバイ状態において簡単に確認することができる。
【０１２６】
また、上記実施の形態１によれば、状態記憶部６３は、メディア再生装置のソース種別を示すソース種別情報およびそのソース種別の１つ前に選択されていたソース種別を示すソース種別情報を記憶する。また、ＭＰＵ６２は、スタンバイ状態において、メディア再生装置のソース種別が表示されている場合に記録媒体のイジェクトを検出すると、状態記憶部６３におけるソース種別情報を参照し、ソース選択ＵＩ部１１を制御して、そのメディア再生装置のソース種別の表示を止め、そのメディア再生装置のソース種別の１つ前に選択されていたソース種別を表示させる。
【０１２７】
これにより、パワーオン移行時に最初に選択されるソース種別が記録媒体のイジェクトにより選択できなくなった場合でも、代替のソース種別を、スタンバイ状態において簡単に確認することができる。
【０１２８】
また、上記実施の形態１によれば、ＭＰＵ６２は、スタンバイ状態において記録媒体のイジェクトを検出したメディア再生装置のソース種別情報が状態記憶部６３に記憶されている場合、スタンバイ状態からパワーオン状態への移行のときに、状態記憶部６３に記憶されているソース種別情報に基づき、そのメディア再生装置のソース種別の１つ前に選択されていたソース種別を選択する。
【０１２９】
これにより、パワーオン移行時に最初に選択されるソース種別が記録媒体のイジェクトにより選択できなくなった場合でも、代替のソース種別が自動的に選択され、その代替のソース種別を、スタンバイ状態において簡単に確認することができる。
【０１３０】
また、上記実施の形態１によれば、ＭＰＵ６２は、パワーオン状態では、複数のオーディオ信号出力装置のソース種別についてオーディオ信号を出力可能か否かを特定し、ソース選択ＵＩ部１１を制御して、オーディオ信号を出力可能なソース種別のうち、選択中のソース種別を第１の態様（ここでは赤色点灯）で、残りのソース種別を上記第１の態様とは異なる第２の態様（ここでは緑色点灯）で表示させ、またオーディオ信号を出力可能ではないソース種別を表示させない。
【０１３１】
これにより、現在選択中のソース種別以外のソース種別をユーザが選択しようとしたとき、その選択肢を簡単に確認することができる。
【０１３２】
また、上記実施の形態１によれば、第１の操作検出手段としてのプッシュスイッチＳＷは、回転自在で、かつ押下可能な回転操作部１１ｆに対する押下操作を検出し、第２の操作検出手段としてのロータリエンコーダＥＮＣは、回転操作部１１ｆに対する回転操作を検出する。そして、ＭＰＵ６２は、プッシュスイッチＳＷにより回転操作部１１ｆに対する押下操作が検出されると、オーディオ装置１の動作状態をスタンバイ状態とパワーオン状態との間で交互に移行させる。また、ソース選択ＵＩ部１１のソース種別表示部は、回転操作部１１ｆの周囲に周方向に沿って配され、点灯と消灯の状態を有し各ソース種別について点灯によりソース種別を表示する。そして、ＭＰＵ６２は、パワーオン状態において、ロータリエンコーダＥＮＣにより検出される回転操作に応じて、オーディオ信号を出力可能なソース種別のうちの１つを選択する。
【０１３３】
これにより、パワーオン状態・スタンバイ状態の切替、およびソース種別の選択に係る操作部と各動作状態でのソース種別の表示とが、ソース選択ＵＩ部１１一箇所に集約され、各状態でのソース種別の表示の意味をユーザが理解し易くなる。
【０１３４】
また、上記実施の形態１によれば、ソース選択ＵＩ部１１のソース種別表示部は、放送受信装置により受信可能な同一変調方式の複数の放送局が複数のグループへプリセットされる場合において、放送受信装置についてプリセットされた複数のグループのそれぞれを１つのソース種別として、複数のソース種別を配列して表示する。特に、この実施の形態１では、ソース選択ＵＩ部１１は、ＦＭ放送およびＡＭ放送を受信する放送受信装置についての、所定の数のＦＭ局がプリセットされた第１ＦＭ局グループ、所定の数の別のＦＭ局がプリセットされた第２ＦＭ局グループ、および所定の数のＡＭ局がプリセットされたＡＭ局グループをそれぞれソース種別として配列し同時に表示する。
【０１３５】
これにより、選局までのユーザの操作回数が減り、多数の放送局から所望の局をユーザが簡単に選局することができる。
【０１３６】
また、上記実施の形態１によれば、回転操作検出手段としてのロータリエンコーダＥＮＣは、複数回の回転が連続して可能な回転操作部１１ｆに対する回転操作を検出する。ソース選択ＵＩ部１１のソース種別表示部は、１または複数のソース装置による複数のソース種別を回転操作部１１ｆの周囲に周方向に沿って配列して表示する。そして、ＭＰＵ６２は、ソース種別表示部により表示されているソース種別のうちの１つを、ロータリエンコーダＥＮＣにより検出される回転操作に応じて選択し、ロータリエンコーダＥＮＣにより検出された回転操作量が、ソース種別の配列の最初または最後に位置するソース種別を選択するための回転操作量を超えた場合、その回転操作方向に応じて、ソース種別の配列の最初または最後に位置するソース種別を選択する。
【０１３７】
これにより、ソース種別の配列における一方の端部の選択肢を超えて他方の端部の選択肢へ直接移行することがないため、連続して回転可能な汎用の操作部を使用する場合でも、端部の選択肢を選択する操作を簡単に行うことができる。
【０１３８】
また、上記実施の形態１によれば、判定手段としてのＭＰＵ６２は、各ソース装置が各ソース種別のソース信号を出力可能であるか否かを判定し、ソース選択ＵＩ部１１のソース種別表示部は、その判定に基づいて、ソース信号を出力可能であるソース種別のみを、回転操作部１１ｆの周囲に周方向に沿って表示する。
【０１３９】
これにより、ソース種別の配列の最初または最後に位置するソース種別が変更される場合でも、それに応じて、回転操作量が超過すると、最初または最後に位置するソース種別が常に選択されるため、端部の選択肢を選択する操作を簡単に行うことができる。
【０１４０】
実施の形態２．
本発明の実施の形態２に係るオーディオ装置は、実施の形態１の構成に加え、交通情報聴取時にソース選択ＵＩ部１１の表示方式を切り替えるようにしたものである。この実施の形態２では、交通情報はソース種別の１つとはされない。なお、実施の形態２に係るオーディオ装置の構成は、実施の形態１のものと同様であるが、ＭＰＵ６２による制御が実施の形態１から変更される。
【０１４１】
次に、実施の形態２における交通情報聴取時のオーディオ装置の動作について説明する。図９は、実施の形態２において、交通情報聴取時の、ＭＰＵ６２による発光ダイオードＬＥＤｒｉ，ＬＥＤｇｉ（ｉ＝１，・・・，５）の制御パターンを示す図である。図９（Ａ）はパワーオン状態での、図９（Ｂ）はスタンバイ状態での制御パターンをそれぞれ示す。
【０１４２】
パワーオン状態においては、ＭＰＵ６２は、いずれかのソース種別が選択されている場合に、チューニング操作部１６に対する押下操作を検出すると、ソースセレクタ５４に、ラジオ放送受信部５３からの入力を選択させ、また、ソース制御部６１に対して交通情報聴取開始の指令を供給する。
【０１４３】
ソース制御部６１は、その指令に基づいて、ラジオ放送受信部５３を制御して、変調方式および受信周波数を、交通情報放送局の所定の変調方式および周波数に設定させ、オーディオ信号を出力させる。
【０１４４】
これにより、交通情報のオーディオ信号がスピーカ等へ出力される。
【０１４５】
その後、ＭＰＵ６２は、チューニング操作部１６に対する押下操作を検出すると、状態記憶部６３における先頭のソース種別情報を読み出し、そのソース種別情報が示すソース種別を特定し、ソースセレクタ５４に、そのソース種別のオーディオ信号出力装置からの入力を選択させる。
【０１４６】
これにより、交通情報聴取終了後は、自動的に、交通情報聴取直前のソース種別が選択され、そのソース種別のオーディオ信号がスピーカ等に出力される。
【０１４７】
この一連の処理において、交通情報聴取開始時のチューニング操作部１６に対する押下操作を検出すると、ＭＰＵ６２は、ソース選択ＵＩ部１１の表示方式を変更し、交通情報聴取開始直前のソース種別（つまり、状態記憶部６３における先頭のソース種別情報が示すソース種別）を別の態様で表示する。なお、交通情報聴取開始直前のソース種別は、交通情報聴取終了後のソース種別である。
【０１４８】
この実施の形態２では、図９（Ａ）に示すように、ＭＰＵ６２は、そのソース種別に対応する赤色および緑色の両方の発光ダイオードＬＥＤｒｉ，ｇｉを発光させ、そのソース種別を橙色に表示させる。なお、その他のソース種別は、通常表示されないが、ＣＤまたはＭＤがイジェクトされる間、その記録媒体に対応するソース種別が、緑色点滅で表示される。
【０１４９】
一方、スタンバイ状態においてチューニング操作部１６に対する押下操作を検出すると、ＭＰＵ６２は、ソースセレクタ５４にラジオ放送受信部５３からの入力を選択させ、また、ソース制御部６１に対して交通情報聴取開始の指令を供給する。ソース制御部６１は、その指令に基づいて、ラジオ放送受信部５３を制御して交通情報のオーディオ信号を出力させる。
【０１５０】
これにより、交通情報のオーディオ信号がスピーカ等へ出力される。
【０１５１】
その後、ＭＰＵ６２は、チューニング操作部１６に対する押下操作を検出すると、ソース制御部６１を介して、ラジオ放送受信部５３からのオーディオ信号の出力を停止させるとともに、動作状態をスタンバイ状態に移行させる。
【０１５２】
これにより、交通情報聴取終了後は、自動的に、交通情報聴取直前の状態であるスタンバイ状態に戻る。
【０１５３】
この一連の処理において、交通情報聴取開始時のチューニング操作部１６に対する押下操作を検出すると、ＭＰＵ６２は、ソース選択ＵＩ部１１の表示方式を変更する。交通情報聴取終了後は、オーディオ装置１の動作状態がスタンバイ状態に戻るため、図９（Ｂ）に示すように、交通情報聴取終了まではすべてのソース種別は表示されない。
【０１５４】
ここで、交通情報聴取の開始前から終了後までの、ソース選択ＵＩ部１１でのソース種別の表示変化の例を説明する。図１０は、実施の形態２において、パワーオン状態で交通情報聴取が発生した場合の、交通情報の開始前から終了後までの、ソース選択ＵＩ部１１でのソース種別の表示変化の例を示す図である。図１１は、実施の形態２において、スタンバイ状態で交通情報聴取が発生した場合の、交通情報の開始前から終了後までの、ソース選択ＵＩ部１１でのソース種別の表示変化の例を示す図である。
【０１５５】
図１０において、状態２では、ソース種別「ＣＤ」が選択されており、赤色に表示され、選択可能な「ＦＭ１」，「ＦＭ２」，「ＡＭ」が緑色に表示され、選択不可な「ＭＤ」は表示されない。
【０１５６】
状態２において、ＭＰＵ６２は、上述の交通情報聴取開始操作を検出すると、表示方式を変更して、表示状態を状態７に移行させる。状態７では、ＭＰＵ６２は、状態２において選択されていた「ＣＤ」を橙色に表示させ、その他のソース種別の表示を停止させる。なお、図１０においては、図面の制約上、橙色のソース種別についても、赤色のソース種別と同様に、太字の文字列で表現する（その他の図面でも同様とする）。
【０１５７】
その後、状態７において、ＭＰＵ６２は、上述の交通情報聴取終了操作を検出すると、表示方式を変更して、表示状態を状態２に移行させる。状態２は、交通情報聴取開始前の状態である。
【０１５８】
他方、状態７において、交通情報聴取中にＣＤがイジェクトされた場合、ＭＰＵ６２は、ソース選択ＵＩ部１１の表示状態を状態８に移行させる。つまり、ＭＰＵ６２は、ＣＤのイジェクトに対応して、状態記憶部６３における「ＣＤ」のソース種別情報を削除し、その後に先頭に位置するソース種別情報が示す「ＦＭ１」を選択し、交通情報聴取中、「ＦＭ１」を橙色に表示させる。
【０１５９】
その後、状態８において、ＭＰＵ６２は、上述の交通情報聴取終了操作を検出すると、表示方式を変更して、表示状態を状態９に移行させる。状態９では、ＭＰＵ６２は、状態記憶部６３におけるソース種別情報が示す「ＦＭ１」を自動的に選択し、「ＦＭ１」からのオーディオ信号を出力させるとともに、その「ＦＭ１」を赤色で表示させる。また、選択可能な「ＦＭ２」および「ＡＭ」は緑色で表示される。
【０１６０】
一方、図１１においては、スタンバイ状態の状態４では、状態記憶部６３における先頭のソース種別情報が「ＣＤ」のものであり、「ＣＤ」が緑色で表示されており、その他のソース種別は表示されていない。
【０１６１】
状態４において、ＭＰＵ６２は、上述の交通情報聴取開始操作を検出すると、表示方式を変更して、表示状態を状態１０に移行させる。状態１０では、すべてのソース種別の表示を停止させる。
【０１６２】
その後、状態１０において、ＭＰＵ６２は、上述の交通情報聴取終了操作を検出すると、表示方式を変更して、表示状態を状態４に移行させる。状態４は、交通情報聴取開始前の状態である。
【０１６３】
他方、状態１０において、交通情報聴取中にＣＤがイジェクトされた場合、ＭＰＵ６２は、ソース選択ＵＩ部１１の表示状態を状態１１に移行させる。つまり、ＭＰＵ６２は、ＣＤのイジェクトに対応して、状態記憶部６３における「ＣＤ」のソース種別情報を削除する。
【０１６４】
その後、状態１１において、ＭＰＵ６２は、上述の交通情報聴取終了操作を検出すると、表示方式を変更して、表示状態を状態１２に移行させる。状態１２では、ＭＰＵ６２は、状態記憶部６３における先頭に位置するソース種別情報が示す「ＦＭ１」を選択し、スタンバイ状態中、「ＦＭ１」を緑色に表示させる。
【０１６５】
なお、実施の形態２に係るオーディオ装置のその他の動作については、実施の形態１の場合と同様であるので、その説明を省略する。
【０１６６】
以上のように、上記実施の形態２によれば、表示手段としてのソース選択ＵＩ部１１は、放送受信装置を含む１または複数のオーディオ信号出力装置による複数のソース種別をそれぞれ表示する。また、ソース種別選択手段としてのＭＰＵ６２は、複数のソース種別のうちのいずれか１つのソース種別を選択する。記憶手段としての状態記憶部６３は、ＭＰＵ６２により選択されたソース種別を示すソース種別情報を記憶する。特定目的操作部としての回転操作部１１ｆは、交通情報といった特定目的の内容を有する放送の聴取の開始と終了のときに操作される。なお、このような放送の放送局の変調方式および放送周波数の情報は、ラジオ放送受信部５３またはソース制御部６１に予め記憶されている。
【０１６７】
そして、ソース種別表示制御手段としてのＭＰＵ６２は、回転操作部１１ｆに対する聴取開始操作を検出すると、ソース選択ＵＩ部１１を制御して、聴取開始操作検出時に状態記憶部６３に記憶されているソース種別情報が示すソース種別を聴取開始操作検出前とは別の態様で表示させ、その後、回転操作部１１ｆに対する聴取終了操作が検出されると、聴取開始操作検出時に状態記憶部６３に記憶されているソース種別情報が示すソース種別を聴取開始操作検出前と同一態様で表示させる。
【０１６８】
これにより、交通情報といった特定目的の内容を有する放送（例えば路側帯放送）の聴取終了後に復帰するソース種別を、その放送の聴取中にユーザが確認することができる。
【０１６９】
また、上記実施の形態２によれば、状態記憶部６３は、パワーオン状態で選択されたソース種別を示すソース種別情報を記憶し、ＭＰＵ６２は、パワーオン状態において聴取開始操作が検出されると、聴取開始操作検出時に状態記憶部６３に記憶されているソース種別情報が示すソース種別を聴取開始操作検出前とは別の態様で表示させ、その後、聴取終了操作が検出されると、聴取開始操作検出時に状態記憶部６３に記憶されているソース種別情報が示すソース種別を聴取開始操作検出前と同一態様で表示させる。一方、スタンバイ状態において聴取開始操作が検出されると、ＭＰＵ６２は、聴取終了操作が検出されるまで、すべてのソース種別の表示を停止する。
【０１７０】
これにより、交通情報といった特定目的の内容を有する放送（例えば路側帯放送）の聴取開始前がパワーオン状態である場合には、パワーオン状態で選択されていたソース種別が表示され、聴取開始前がスタンバイ状態である場合には、いずれのソース種別も表示されない、したがって、聴取開始前がスタンバイ状態である場合には、聴取終了後にスタンバイ状態、つまり無音状態に戻ることを、ユーザが確認することができる。
【０１７１】
実施の形態３．
本発明の実施の形態３に係るオーディオ装置は、実施の形態１または２の構成に加え、放送局のオートシーク動作時にソース選択ＵＩ部１１の表示方式を切り替えるようにしたものである。なお、実施の形態３に係るオーディオ装置の構成は、実施の形態１または２のものと同様であるが、ＭＰＵ６２による制御が実施の形態１または２から変更される。
【０１７２】
なお、オートシーク動作とは、ラジオ放送のソース種別「ＦＭ１」，「ＦＭ２」，「ＡＭ」のいずれかが選択されているときに、所定の操作部が操作されると開始され、選択中のソース種別に対応する変調方式で、所定の周波数帯域内で順番に受信周波数を変化させていき、受信可能な局を探し、所定の電界強度以上で受信信号が得られる局を自動的にプリセットする動作である。例えば図１のように、１つのソース種別につき６個のプリセットＰ１〜Ｐ６が可能である場合には、ＦＭ１、ＦＭ２およびＡＭのそれぞれについて、６つの局がプリセットされる。その場合、「ＦＭ１」には電界強度の強い局が、「ＦＭ２」には電界強度の弱い局がプリセットされるようにしてもよい。なお、「ＦＭ１」または「ＦＭ２」の選択時にオートシーク動作を行った場合、同一変調方式である「ＦＭ１」および「ＦＭ２」の両方について、発見された局をプリセットするようにしてもよいし、選択中の「ＦＭ１」および「ＦＭ２」のいずれかについてのみ、発見された局をプリセットするようにしてもよい。また、ラジオ放送のすべてのソース種別「ＦＭ１」，「ＦＭ２」，「ＡＭ」について、発見された局をプリセットするようにしてもよい。このような機能は、別の地域を訪問した際に、その地域の局を別途プリセットする場合に便利である。
【０１７３】
この実施の形態３では、ＭＰＵ６２は、所定の操作部（図示せず）に対するオートシーク動作を実行させるための操作（オートシーク操作）を検出すると、オートシーク動作の指令をソース制御部６１に供給する。ソース制御部６１は、その指令に応じて、ラジオ放送受信部５３を制御して、オートシーク動作を実行させる。
【０１７４】
オートシーク動作時には、ＭＰＵ６２は、ソース選択ＵＩ部１１の表示方式を変更させる。ＭＰＵ６２は、オートシーク動作時には、オートシーク動作の対象となっているソース種別を、選択中のソース種別および選択可能なソース種別とは異なる態様で表示させる。この実施の形態３では、オートシーク動作の対象となっているソース種別は、オートシーク開始から完了までの期間、橙色で表示される。
【０１７５】
図１２は、実施の形態３において、オートシーク動作開始前から終了後までの、ソース選択ＵＩ部１１でのソース種別の表示変化の例を示す図である。
【０１７６】
図１２において、状態１３は、パワーオン状態で「ＦＭ２」が選択されている状態である。状態１３においてオートシーク操作が検出されると、ＭＰＵ６２は、ソース選択ＵＩ部１１の表示方式を変更しその表示状態を状態１４に移行させ、オートシーク動作の対象となる「ＦＭ１」、「ＦＭ２」および「ＡＭ」を橙色で表示させる。このとき、状態１３において選択可能な「ＣＤ」は、状態１４でもそのまま緑色で表示される。
【０１７７】
その後、オートシーク動作が完了すると、ＭＰＵ６２は、ソース選択ＵＩ部１１の表示状態を、状態１４から元の状態１３に戻す。
【０１７８】
一方、状態１４において「ＣＤ」の選択操作を検出した場合、ＭＰＵ６２は、「ＣＤ」を選択して、ＣＤ再生部５１からのオーディオ信号をソースセレクタ５４に選択させるとともに、表示状態を状態１５に移行させ、ソース選択ＵＩ部１１において、「ＣＤ」を赤色に表示させ、「ＦＭ１」、「ＦＭ２」および「ＡＭ」を継続して橙色に表示させる。その後、オートシーク動作が完了すると、ＭＰＵ６２は、ソース選択ＵＩ部１１の表示状態を状態１５から状態１６へ移行させ、選択中の「ＣＤ」を継続して赤色に表示させ、選択可能な「ＦＭ１」、「ＦＭ２」および「ＡＭ」を緑色に表示させる。
【０１７９】
このとき、状態１４において「ＣＤ」の選択操作を検出した場合に、オートシーク動作を終了して状態１４から状態１６に直接移行するようにしてもよい。
【０１８０】
なお、実施の形態３に係るオーディオ装置のその他の動作については、実施の形態１または２の場合と同様であるので、その説明を省略する。
【０１８１】
以上のように、上記実施の形態３によれば、ソース種別表示制御手段として機能するＭＰＵ６２は、複数のオーディオ信号出力装置のうちの放送受信装置のオートシーク動作時には、表示手段としてのソース選択ＵＩ部１１を制御して、オートシークの対象となるソース種別を、パワーオン状態でのソース種別の表示態様およびスタンバイ状態でのソース種別の表示態様のいずれとも異なる態様（ここでは橙色）で表示させる。
【０１８２】
これにより、オートシークに起因してオートシークの対象になっているソース種別のオーディオ信号が出力されないことをユーザが視認することができる。ひいては、無音状態に起因して故障と誤認する可能性を低減することができる。
【０１８３】
実施の形態４．
本発明の実施の形態４は、上記実施の形態１〜３のいずれかを、オーディオ信号とビデオ信号を取り扱うＡＶ装置に応用したものである。実施の形態４では、そのＡＶ装置は、オーディオ信号およびビデオ信号、あるいはビデオ信号のみをソース信号として出力するソース装置からのソース信号を、ソース種別に基づいて切り替える。
【０１８４】
この実施の形態４の場合のソース種別としては、例えば、メディア再生装置としてＤＶＤ再生部によるソース種別「ＤＶＤ」、テレビジョン放送受信部によるソース種別「ＴＶ」、通信装置を具備したパーソナルコンピュータによるソース種別「ＰＣ」などが可能である。この場合、例えば、ソース選択ＵＩ部１１には、「ＤＶＤ」、「ＴＶ」、「ＰＣ」などのソース種別が表示される。ソース種別「ＴＶ」については、「ＵＨＦ」および「ＶＨＦ」といったように複数のソース種別としてもよい。
【０１８５】
なお、実施の形態４では、ソース装置の種類が実施の形態１〜３の場合と異なるが、ソース選択装置としての構成は、上記実施の形態１〜３のいずれかと同様とすればよい。したがって、ここでは、ソース選択装置およびＡＶ装置の説明を省略する。
【０１８６】
以上のように、上記実施の形態４によれば、オーディオ装置に限らず、ビデオ信号を取り扱うＡＶ装置についても、実施の形態１〜３と同様の効果を得ることができる。
【０１８７】
なお、上述の各実施の形態は、本発明の好適な例であるが、本発明は、これらに限定されるものではなく、本発明の要旨を逸脱しない範囲において、種々の変形、変更が可能である。
【０１８８】
例えば、上記各実施の形態では、ラジオ放送受信部５３によるソース種別「ＦＭ１」，「ＦＭ２」，「ＡＭ」，「ＴＶ」は、オートシーク時以外選択可能とされているが、「ＦＭ１」、「ＦＭ２」、「ＡＭ」および「ＴＶ」のそれぞれのソース種別における所定の周波数帯域を定期的にスキャンして受信可能局が１つもない場合には、選択不可とするようにしてもよい。
【０１８９】
また、上記各実施の形態では、ＵＩ部３１と音声再生部３２が同一の筐体内に設けられているが、ＵＩ部３１を、音声再生部３２とは別の筐体やリモートコントローラに設けるようにしてもよい。さらに、オーディオ信号出力装置をオーディオ装置１とは別体で設け、オーディオ信号出力装置からの信号をオーディオ装置１内のソース選択装置に入力するようにしてもよい。
【０１９０】
また、上記各実施の形態では、スタンバイ時には、パワーオン状態への移行時に選択されるソース種別が表示されその他のソース種別は表示されないが、その代わりに、スタンバイ時には、パワーオン状態への移行時に選択されるソース種別が第１の態様で表示され、その他のソース種別は、第一の態様とは異なる第二の態様で表示されるようにしてもよい。
【０１９１】
また、上記各実施の形態では、選択中のソース種別は赤色で、パワーオン状態で選択可能なソース種別およびパワーオン移行時に自動的に選択されるソース種別は緑色で、交通情報聴取から復帰した後のソース種別およびオートシークの対象となっているソース種別は橙色で表示されるが、これらの色は、別の色としてもよい。また、複数の表示態様を複数の色で実現する代わりに、全点灯と点滅といった発光ダイオードの複数のデューティ比、その複数のデューティ比と複数の色との組み合わせなどで実現するようにしてもよい。
【０１９２】
また、上記各実施の形態では、「ＦＭ１」、［ＦＭ２」および「ＡＭ」が選択された場合、前回聴取していた局を自動的に選局してその局から受信したオーディオ信号を自動的に出力させるようにしてもよい。また、「ＣＤ」および「ＭＤ」についても、リジューム機能により、前回聴取していた箇所から再生を自動的に開始するようにしてもよい。
【０１９３】
また、上記各実施の形態では、状態記憶部６３内のデータ構造は、上述のようにソース種別情報を順番に配列する構造としているが、データ構造はこれに限らず、他の構造でもよい。例えば、各ソース種別について、選択中か否かの状態、および選択可能か否かの状態をフラグの値としてそれぞれ管理し、ソース種別の選択順を記憶するようにしてもよい。その場合、選択順の値としては、例えば、現在選択されているソース種別についての値を１とし、１つ前に選択されていたものについての値を２とし、ｎ個前に選択されていたものについての値を（ｎ＋１）とする。この場合では、スタンバイ状態では、選択可能なソース種別のうち、選択順が最も新しいものを選択し表示すればよく、パワーオン状態では、フラグの値に基づいて、選択中のソース種別および選択可能なソース種別を表示すればよい。
【０１９４】
また、上記各実施の形態では、ＦＭ放送についてのソース種別として「ＦＭ１」および「ＦＭ２」の２つが設けられているが、同一の変調方式の放送について３つ以上のソース種別を設けるようにしてもよい。
【産業上の利用可能性】
【０１９５】
本発明は、例えば、車載オーディオ装置に適用可能である。
【図面の簡単な説明】
【０１９６】
【図１】本発明の実施の形態１に係るソース選択装置を内蔵したオーディオ装置を示す正面図である。
【図２】図１のオーディオ装置の構成を示すブロック図である。
【図３】図１におけるソース選択ＵＩ部の詳細を示す正面図である。
【図４】図１におけるソース選択ＵＩ部の詳細を示す斜視図である。
【図５】図１におけるソース選択ＵＩ部およびその駆動回路の電気的構成の詳細を示す回路図である。
【図６】実施の形態１に係るソース選択装置を内蔵したオーディオ装置の動作を説明するフローチャートである。
【図７】実施の形態１におけるＭＰＵによる発光ダイオードの制御パターンを示す図である。
【図８】実施の形態１におけるソース種別切替操作および記録媒体のイジェクトに応じたソース選択ＵＩ部でのソース種別の表示変化の一例を説明する図である。
【図９】実施の形態２において、交通情報聴取時の、ＭＰＵによる発光ダイオードの制御パターンを示す図である。
【図１０】実施の形態２において、パワーオン状態で交通情報聴取が発生した場合の、交通情報の開始前から終了後までの、ソース選択ＵＩ部でのソース種別の表示変化の例を示す図である。
【図１１】実施の形態２において、スタンバイ状態で交通情報聴取が発生した場合の、交通情報の開始前から終了後までの、ソース選択ＵＩ部でのソース種別の表示変化の例を示す図である。
【図１２】実施の形態３において、オートシーク動作開始前から終了後までの、ソース選択ＵＩ部でのソース種別の表示変化の例を示す図である。
【符号の説明】
【０１９７】
１  オーディオ装置
１１  ソース選択ＵＩ部（表示手段、ソース種別表示部、操作部）
１１ｆ  回転操作部（操作部）
１６  チューニング操作部（特定目的操作部）
３１  ユーザインタフェース部（ソース選択装置の一部）
３３  制御部（ソース選択装置の一部）
５１  ＣＤ再生部（ソース装置、オーディオ信号出力装置、メディア再生装置）
５２  ＭＤ再生部（ソース装置、オーディオ信号出力装置、メディア再生装置）
５３  ラジオ放送受信部（オーディオ信号出力装置、ソース装置、放送受信装置）
６２  ＭＰＵ（状態移行手段、ソース種別表示制御手段、ソース種別選択手段、判定手段）
６３  状態記憶部（記憶手段）
ＥＮＣ  ロータリエンコーダ（第２の操作検出手段、回転操作検出手段）
ＳＷ  プッシュスイッチ（第１の操作検出手段）
【図１】
2006318587.tif 000003
【図２】
2006318587.tif 000004
【図３】
2006318587.tif 000005
【図４】
2006318587.tif 000006
【図５】
2006318587.tif 000007
【図６】
2006318587.tif 000008
【図７】
2006318587.tif 000009
【図８】
2006318587.tif 000010
【図９】
2006318587.tif 000011
【図１０】
2006318587.tif 000012
【図１１】
2006318587.tif 000013
【図１２】
2006318587.tif 000014